(57)【要約】      （修正有）【課題】居住空間内におけるレイアウトの自由度を大幅に向上できるようにした家具類のスタッキング構造を提供する。【解決手段】連結ピン１７の大径基部１７Ａを下側にして連結ピンを収納取付け穴に差し込むことによって連結ピンの小径ピン部１７Ｂが第２の家具１２の上面から突出し上記第１の家具１１、連結穴１１Ａに差し込まれることによって、第１の家具を第２の家具の上にスタッキングした姿勢に保持可能であり、連結ピンの小径ピン部を下側にして連結ピンを収納取付け穴に差し込むことによって連結ピンの大径基部の底面が第２の家具の上面と面一か又は上面より低くなるように連結ピンが第２の家具の収納取付け穴に収納されるようにした。【選択図】図３
0003187319.tif 000002
【実用新案登録請求の範囲】
【請求項１】
第１の家具を第２の家具の上にスタッキングし、そのスタッキングを外したときには両家具を並べてレイアウトできるようにした家具類のスタッキング構造において、
第２の家具（１２、２０Ｂ〜２０Ｅ）の上面には連結ピン（１７）の収納取付け穴が凹設され、上記連結ピン（１７）は大径の基部（１７Ａ）と該基部（１７Ａ）に一体的に形成された小径のピン部（１７Ｂ）とから構成され、
上記収納取付け穴は上記連結ピン（１７）の大径基部（１７Ａ）を収納し得る大径穴部（１２Ａ）と、該大径穴部（１２Ａ）の底面に形成され、上記連結ピン（１７）の小径ピン部（１７Ｂ）を収納し得る小径穴部（１２Ｂ）とから構成される一方、上記第１の家具（１１、２０Ａ〜２０Ｄ）の底面には上記連結ピン（１７）の小径ピン部（１７Ｂ）を抜き差し可能に差し込み得る連結穴（１１Ａ）が形成されており、
上記連結ピン（１７）の大径基部（１７Ａ）を下側にして上記連結ピン（１７）を収納取付け穴に差し込むことによって上記連結ピン（１７）の小径ピン部（１７Ｂ）が上記第２の家具（１２、２０Ｂ〜２０Ｅ）の上面から突出し上記第１の家具（１１、２０Ａ〜２０Ｄ）の連結穴（１１Ａ）に差し込まれることによって、上記第１の家具（１１、２０Ａ〜２０Ｄ）を第２の家具（１２、２０Ｂ〜２０Ｅ）の上にスタッキングした姿勢に保持可能であり、
上記連結ピン（１７）の小径ピン部（１７Ｂ）を下側にして上記連結ピン（１７）を収納取付け穴に差し込むことによって上記連結ピン（１７）の大径基部（１７Ａ）の底面が上記第２の家具（１２、２０Ｂ〜２０Ｅ）の上面と面一か又は上面より低くなるように上記連結ピン（１７）が上記第２の家具（１２、２０Ｂ〜２０Ｅ）の収納取付け穴に収納されるようになしたことを特徴とする家具類のスタッキング構造。
【請求項２】
上記第１、第２の家具が同一形状の単位家具（１１、１２、２０Ａ〜２０Ｅ）である請求項１記載の家具類のスタッキング構造。
【考案の詳細な説明】
【技術分野】
【０００１】
本考案は家具類のスタッキング構造に関し、特に居住空間においてレイアウトの自由度を大幅に向上できるようにしたスタッキング構造に関する。
【背景技術】
【０００２】
最近、サブテーブルの天板に嵌込み凸部を突設する一方、メインテーブルの脚の下端面に嵌込み凹部を形成し、サブテーブルの嵌込み凸部をメインテーブルの嵌込み凹部に嵌め込むことによってサブテーブル上にメインテーブルをスタッキングし、又テーブルのスタッキングを外し、メインテーブルの側方にサブテーブルを並べてレイアウトすることができるようにしたテーブルユニットが提案されている（特許文献１）。
【先行技術文献】
【特許文献】
【０００３】
【特許文献１】登録実用新案第３１８４８０９号公報
【考案の開示】
【考案が解決しようとする課題】
【０００４】
しかし、特許文献１記載のテーブルユニットでは、テーブルのスタッキングを外してメインテーブルとサブテーブルを並べてレイアウトした場合、サブテーブルの嵌込み凸部が天板上に突き出てしまい、邪魔になるばかりでなく、見栄えが悪い。そこで、嵌込み凸部を利用してサブテーブルの上面に第２の天板をスタッキングし、嵌込み凸部が邪魔になるのを防止し、見栄えを改善することが行われているが、第２の天板を必要とする。
【０００５】
本考案はかかる問題点に鑑み、スタッキングを外して側方に並べてレイアウトしたときに嵌込み凸部が邪魔にならないようにした家具類のスタッキング構造を提供することを課題とする。
【課題を解決するための手段】
【０００６】
そこで、本考案に係る家具類のスタッキング構造は、第１の家具を第２の家具の上にスタッキングし、そのスタッキングを外したときには両家具を並べてレイアウトできるようにした家具類のスタッキング構造において、第２の家具の上面には連結ピンの収納取付け穴が凹設され、上記連結ピンは大径の基部と該基部に一体的に形成された小径のピン部とから構成され、上記収納取付け穴は上記連結ピンの大径基部を収納し得る大径穴部と、該大径穴部の底面に形成され、上記連結ピンの小径ピン部を収納し得る小径穴部とから構成される一方、上記第１の家具の底面には上記連結ピンの小径ピン部を抜き差し可能に差し込み得る連結穴が形成されており、上記連結ピンの大径基部を下側にして上記連結ピンを収納取付け穴に差し込むことによって上記連結ピンの小径ピン部が上記第２の家具の上面から突出し上記第１の家具の連結穴に差し込まれることによって、上記第１の家具を第２の家具の上にスタッキングした姿勢に保持可能であり、上記連結ピンの小径ピン部を下側にして上記連結ピンを収納取付け穴に差し込むことによって上記連結ピンの大径基部の底面が上記第２の家具の上面と面一か又は上面より低くなるように上記連結ピンが上記第２の家具の収納取付け穴に収納されるようになしたことを特徴とする。
【０００７】
本考案の特徴の１つは第２の家具の上面に連結ピンの収納取付け穴を形成し、この収納取付け穴を小径部と大径部の２段構造とし、大径基部を下側にして連結ピンを収納取付け穴に差し込んだときには小径ピン部が突出し、小径ピン部を下側にして連結ピンを収納取付け穴に差し込んだときには連結ピンが収納取付け穴内にスッポリと収納されるようになした点にある。
【０００８】
これにより、第１の家具を第２の家具にスタッキングしたときに、連結ピンの小径ピン部を第２の家具の上面から突出させて第１の家具の連結穴に差し込むことができ、第１の家具に横方向の力が作用しても、第１の家具が第２の家具から外れるおそれは少なく、第１の家具と第２の家具のスタッキング姿勢を確実に保持できる。
【０００９】
他方、連結ピンの小径ピン部を下側にして収納取付け穴に差し込むと、連結ピンの全体が収納取付け穴内にスッポリと収納されて突き出ず、邪魔になることがないばかりでなく、第２の家具の上面を平坦にでき、第１、第２の家具を並べてレイアウトしたときに第２の家具の見栄えを向上できる。
【００１０】
また、連結ピンを別体に設けると、家具類の使用中に連結ピンを失うおそれがあるが、本発明では連結ピンを収納取付け穴内に収納するようにしているので、使用中に連結ピンを失うおそれが少なく、商品の信頼性が高い。
【００１１】
第１の家具及び第２の家具はスタッキングして使用し並べて使用する家具であればよく、例えば下記の実施形態に示されるように、テーブルや棚に適用することができる。
【００１２】
また、第１、第２の家具はスタッキングし又は並べて使用することができれば、相互に異なる形状や寸法としてもよく、又同一形状の単位家具を採用することもできる。
【図面の簡単な説明】
【００１３】
【図１】本考案に係る家具類のスタッキング構造の好ましい実施形態におけるガラス製テーブルとしての使用状態を示すを示す概略斜視図である。
【図２】上記実施形態におけるガラス製棚としての使用状態を示す概略斜視図である。
【図３】上記実施形態における連結ピンと連結穴との関係を示す図である。
【図４】第２の実施形態において棚をスタッキングした状態を示す概略斜視図である。
【図５】上記実施形態において棚を並列にレイアウトした状態を示す概略斜視図である。
【考案を実施するための形態】
【００１４】
以下、本考案を図面に示す具体例に基づいて詳細に説明する。図１ないし図３は本考案に係る家具類のスタッキング構造の好ましい実施形態を示し、これはスタッキングして棚として使用でき、並べてテーブルとして使用できるようにした例である。図において、スタッキングテーブル１０は２つのユニットテーブル（第１、第２の家具）１１、１２から構成されている。
【００１５】
ユニットテーブル１１、１２は一対の側板１４の下部の間を底板１５で固定し、両側板１４の上端部の金具１６を固定し、この金具１６の間にガラス製天板１３を搭載し固定することによって構成されている。
【００１６】
２つのユニットテーブル１１、１２のうちの一方１２の側板１４の上端面には収納取付け穴が形成されている。この収納取付け穴は図３に示されるように、大径穴部１２Ａと小径穴部１２Ｂとから構成され、小径穴部１２Ｂは大径穴部１２Ａの底面に連続するように形成されている。
【００１７】
他方のユニットテーブル１１の側板１４の底面には一方のユニットテーブル１２の収納取付け穴に対応する位置に連結穴１１Ａが形成されている。
【００１８】
また、収納取付け穴には連結ピン１７が収納されるようになっている。この連結ピン１７は大径基部１７Ａと小径ピン部１７Ｂとから構成され、大径基部１７Ａは収納取付け穴の大径穴部１２Ａにほぼピッタリと嵌まり込む形状・寸法に形成され、小径ピン部１７Ｂは収納取付け穴の小径穴部１２Ｂ及び連結穴１１Ａにほぼピッタリと嵌まり込む形状・寸法に形成されている。
【００１９】
本例のスタッキングテーブルをガラス製のテーブルとして使用する場合、図１に示されるように、ユニットテーブル１１、１２を並べてレイアウトする。このとき、連結ピン１７は小径ピン部１７Ｂを下側にしてユニットテーブル１２の収納取付け穴に差し込むと、図３の（ａ）に示されるように、収納取付け穴の小径穴部１２Ｂに連結ピン１７の小径ピン部１７Ｂが、収納取付け穴の大径穴部１２Ａに連結ピン１７の大径基部１７Ａがほぼピッタリと嵌まり込み、ユニットテーブル１２の側板１４の上端面が面一となり、連結ピン１７がユニットテーブル１２の上面に突き出て邪魔になることはなく、見栄えがよい。
【００２０】
しかも、連結ピン１７が収納取付け穴にほぼピッタリと嵌まり込んでいるので、何らかの理由で抜け出て失うおそれが少ない。
【００２１】
他方、本例のスタッキングテーブルをガラス製棚として使用する場合、図２に示されるように、ユニットテーブル１２の上にユニットテーブル１１を搭載する。このとき、図３の（ａ）（ｂ）に示されるように、連結ピン１７を収納取付け穴から抜き出し、今度は大径基部１７Ａを下側にして連結ピン１７を収納取付け穴に差し込むと、図３の（ｃ）（ｄ）に示されるように、連結ピン１７の大径基部１７Ａが収納取付け穴の大径穴部１２Ａにほぼピッタリと嵌まり込み、連結ピン１７の小径ピン部１７Ｂがユニットテーブル１２の側板１４の上端面から突き出るので、この小径ピン部１７Ｂをユニットテーブル１１の側板１４の底面の連結穴１１Ａに嵌め込むと、２つのユニットテーブル１１、１２がしっかりと連結され、横方向から衝撃などが加わっても簡単に外れることはない。
【００２２】
図４及び図５は第２の実施形態を示し、これはスタッキングして５段棚として使用でき、並べて例えば２段・３段棚として使用できるようにした例である。本例のスタッキング棚２０は５つのユニット棚（第１、第２の家具）２０Ａ〜２０Ｅによって構成され、下側４つのユニット棚２０Ｂ〜２０Ｅの側板上端面には２つの収納取付け穴が間隔をあけて形成されて連結ピン１７が嵌め込まれ、上側４つのユニット棚２０Ａ〜２０Ｄの側板下端面には２つの収納取付け穴に対応する位置に連結穴が形成され、図４に示されるように、ユニット棚２０Ａ〜２０Ｅを順次スタッキングして５段棚に構成でき、例えば図５に示されるように、２段棚と３段棚にして並べて使用できるようになっている。なお、連結ピン１７による連結構造は第１の実施形態と同様であるので、その説明は省略する。
【００２３】
なお、本考案は上述の実施形態に限定されるものではなく、他のスタッキング家具にも同様に適用できる。
【符号の説明】
【００２４】
１０      スタッキングテーブル
１１、１２      ユニットテーブル
１１Ａ      連結穴
１２Ａ      大径穴部
１２Ｂ      小径穴部
１７      連結ピン
１７Ａ      大径基部
１７Ｂ      小径ピン部
２０      スタッキング棚
２０Ａ〜２０Ｅ      ユニット棚
【図１】
0003187319.tif 000003
【図２】
0003187319.tif 000004
【図３】
0003187319.tif 000005
【図４】
0003187319.tif 000006
【図５】
0003187319.tif 000007